(57)【特許請求の範囲】
【請求項１】
携帯端末と時計との時刻を同期する携帯型時刻同期システムであって、
前記時計は、
時刻を計時する第１時刻カウンタと、
前記携帯端末との通信確立処理時から所定経過時間を計時する第１タイマと、
前記携帯端末との時刻同期をする場合に通信確立可能な第１通信部と、
を備え、
前記携帯端末は、
時刻を計時する第２時刻カウンタと、
前記時計との通信確立処理時からの前記所定経過時間を計時する第２タイマと、
前記時計との時刻同期をする場合に通信確立可能であって、前記第２タイマが前記所定経過時間を計時した場合、前記第１時刻カウンタを前記第２時刻カウンタに時刻同期させる時刻データを前記第１通信部に送信する第２通信部と、
を備え、
前記通信確立処理は、前記第１通信部が、前記第１タイマが前記所定経過時間を計時した時点で前記時計の識別情報を発信し、前記第２通信部が、前記第２タイマが前記所定経過時間を計時した時点で前記識別情報のスキャンを行うことにより、前記識別情報を発信するタイミングおよび前記識別情報のスキャンを行うタイミングを前記時計および前記携帯端末に報知することなく実行される処理であることを特徴とする携帯型時刻同期システム。
【請求項２】
前記所定経過時間は、１日である
ことを特徴とする請求項１に記載の携帯型時刻同期システム。
【請求項３】
前記第２通信部は、前記第２タイマが前記所定経過時間を計時した時点で、前記所定経過時間より短い第２所定経過時間で前記識別情報のスキャンを行うことで時刻同期可能な状態とする
ことを特徴とする請求項１または請求項２に記載の携帯型時刻同期システム。
【請求項４】
前記時計は、太陽電池を電源とする
ことを特徴とする請求項１から請求項３のいずれかに記載の携帯型時刻同期システム。
【発明の詳細な説明】
【技術分野】
【０００１】
本発明は、携帯型時刻同期システムに関する。
【背景技術】
【０００２】
携帯電話から時刻情報を取得し、時刻を修正することができる時計が知られている。また、携帯電話と時計との通信方式として、ブルートゥース（Ｂｌｕｅｔｏｏｔｈ（登録商標））を用いる例が知られている。また、携帯電話が接続要求コマンドを送信するタイミングを示す送信タイミング情報を送信し、時計は受信した送信タイミング情報基づき送信元通信装置から送信される接続要求コマンドを待ち受ける動作を行うタイミングを決定する通信システムが知られている（例えば、特許文献１参照）。
【先行技術文献】
【特許文献】
【０００３】
【特許文献１】再公表ＷＯ２０１３／０４７５８０号公報
【発明の概要】
【発明が解決しようとする課題】
【０００４】
しかしながら、携帯端末と時計との時刻同期システムにおいて、時刻同期タイミングを、ユーザーの利便性のために時計の利用状況に合せようとすると、そのために設ける処理により処理負荷が増えてしまい、携帯端末と時計という携帯型システムの制御性や長期駆動に支障をきたし得るという問題がある。
【０００５】
そこで、本発明は上述の事情を鑑みてなされたものであり、時刻同期による処理負荷を低減させることができる携帯型時刻同期システムを提供することを目的とする。
【課題を解決するための手段】
【０００６】
本発明は、携帯端末と時計との時刻を同期する携帯型時刻同期システムであって、前記時計は、時刻を計時する第１時刻カウンタと、前記携帯端末との通信確立処理時から所定経過時間を計時する第１タイマと、前記携帯端末との時刻同期をする場合に通信確立可能な第１通信部と、を備え、前記携帯端末は、時刻を計時する第２時刻カウンタと、前記時計との通信確立処理時からの前記所定経過時間を計時する第２タイマと、前記時計との時刻同期をする場合に通信確立可能であって、前記第２タイマが前記所定経過時間を計時した場合、前記第１時刻カウンタを前記第２時刻カウンタに時刻同期させる時刻データを前記第１通信部に送信する第２通信部と、を備え、前記通信確立処理は、前記第１通信部が、前記第１タイマが前記所定経過時間を計時した時点で前記時計の識別情報を発信し、前記第２通信部が、前記第２タイマが前記所定経過時間を計時した時点で前記識別情報のスキャンを行うことにより、前記識別情報を発信するタイミングおよび前記識別情報のスキャンを行うタイミングを前記時計および前記携帯端末に報知することなく実行される処理であることを特徴とする携帯型時刻同期システムである。
【０００７】
また、本発明の他の態様の携帯型時刻同期システムにおいて、前記所定経過時間は、１日であることを特徴とする。
【０００８】
また、本発明の他の態様の携帯型時刻同期システムにおいて、前記第２通信部は、前記第２タイマが前記所定経過時間を計時した時点で、前記所定経過時間より短い第２所定経過時間で前記識別情報のスキャンを行うことで時刻同期可能な状態とすることを特徴とする。
【０００９】
また、本発明の他の態様の携帯型時刻同期システムにおいて、前記時計は、太陽電池を電源とする。
【発明の効果】
【００１０】
本発明によれば、携帯端末と時計との時刻を同期する携帯型時刻同期システムにおいて、時計は、時刻を計時する第１時刻カウンタと、携帯端末との通信確立処理時から所定経過時間を計時する第１タイマと、携帯端末との時刻同期をする場合に通信確立可能な第１通信部とを備える。また、携帯端末は、時刻を計時する第２時刻カウンタと、時計との通信確立処理時からの所定経過時間を計時する第２タイマと、時計との時刻同期をする場合に通信確立可能であって、第２タイマが所定経過時間を経過した場合、第１時刻カウンタを第２時刻カウンタに時刻同期させる時刻データを第１通信部に送信する第２通信部とを備える。これにより、時刻同期による処理負荷を低減させることができる。
【図面の簡単な説明】
【００１１】
【図１】本発明の実施形態における携帯型時刻同期システムの構成を示した概略図である。
【図２】本実施形態における携帯型時刻同期システムが実行する同期処理の処理手順を示したフローチャートである。
【発明を実施するための形態】
【００１２】
以下、本発明の一実施形態について、図面を参照しながら説明する。図１は、本実施形態における携帯型時刻同期システム１の構成を示した概略図である。図示する例では、携帯型時刻同期システム１は、電子時計１００と携帯電子機器２００とを含んでいる。電子時計１００は、例えば、腕時計である。
【００１３】
図示する例では、電子時計１００は、制御部１０１と、発振回路１０２と、分周回路１０３と、入力部１０４と、表示部１０５と、記憶部１０６と、太陽電池１０９と、充放電制御回路１１０と、二次電池１１１と、スイッチ１１２と、アンテナ１１３と、近距離無線通信部１１４とを備える。
【００１４】
制御部１０１は、ＣＰＵ（Ｃｅｎｔｒａｌ  Ｐｒｏｃｅｓｓｉｎｇ  Ｕｎｉｔ）であり、電子時計１００が備える各部の制御を行う。また、制御部１０１は、分周回路１０３から入力された計測信号に基づいて現在時刻を計時する（第１時刻カウンタ）。また、制御部１０１は、分周回路１０３から入力された計測信号に基づいて、所定経過時間の計測（第１のタイマ）を行う。また、制御部１０１は、近距離無線通信部１１４の電源のオンまたはオフを制御する。具体的には、制御部１０１は、近距離無線通信部１１４が携帯電子機器２００と通信するときにのみスイッチ１１２をオンにして二次電池１１１から近距離無線通信部１１４に電力を供給する。また、制御部１０１は、近距離無線通信部１１４が携帯電子機器２００と通信しないときにはスイッチ１１２をオフにして二次電池１１１から近距離無線通信部１１４に電力を供給しない。
【００１５】
また、制御部１０１は、携帯電子機器２００から送信される時刻データを用いて、計時している現在時刻を、携帯電子機器２００の時刻に同期させる。これにより、電子時計１００と携帯電子機器２００との時刻を同期させることができる。なお、時刻データの送受信方法については後述する。
【００１６】
発振回路１０２は、所定周波数（例えば、３２７６８Ｈｚ）の発振信号を生成して分周回路１０３に出力する。分周回路１０３は、発振回路１０２から入力された発振信号の周波数を分周して計測の基準となる計測信号を生成し、生成した計測信号を制御部１０１に出力する。
【００１７】
入力部１０４は、操作入力を受け付ける。なお、入力部１０４は、複数のスイッチから構成されていてもよいし、１つのスイッチから構成されていてもよい。表示部１０５は、液晶ディスプレイまたはセグメントディスプレイ等であり、情報を表示する。
【００１８】
記憶部１０６は、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等から構成され、種々の情報を記憶する。また、記憶部１０６は、制御部１０１が実行する動作用プログラムを予め記憶している。この動作用プログラムは、制御部１０１の起動時に読み出される。
【００１９】
太陽電池１０９は、光（太陽、照明など）を受光して電気エネルギーに変換する発電部である。太陽電池１０９は、二次電池１１１を充電する。充放電制御回路１１０は、二次電池１１１における充放電を制御する。例えば、充放電制御回路１１０は、太陽電池１０９が発電した電気エネルギーを二次電池１１１に充電する。また、充放電制御回路１１０は、負荷回路（例えば、近距離無線通信部１１４）の動作に必要な電力が二次電池１１１に充電されるまでは負荷回路への電源供給を行わない。二次電池１１１は、電子時計１００が備える各部に、動作するための電力を供給する。
【００２０】
スイッチ１１２は、二次電池１１１から近距離無線通信部１１４への電力の供給をオンオフするためのスイッチである。アンテナ１１３は、近距離無線通信部１１４が通信するためのアンテナである。近距離無線通信部１１４は、ブルートゥース等の規格による近距離無線通信により他の機器と通信する。なお、近距離無線通信部１１４は、発振回路１０２において生成された３２ｋＨｚの発振信号を用いて通信する。このように、近距離通信機能と時計機能とで水晶を兼用することにより、電子時計１００を小型化することができる。
【００２１】
また、携帯電子機器２００は、例えば、スマートフォンや、携帯電話機や、タブレット端末等の携帯可能な電子機器である。携帯電子機器２００は、制御部２０１と、入力部２０２と、表示部２０３と、記憶部２０４と、アンテナ２０５と、近距離無線通信部２０６とを備える。
【００２２】
制御部２０１は、ＣＰＵから構成され、携帯電子機器２００が備える各部の制御を行う。また、制御部２０１は、現在時刻を計時する（第２時刻カウンタ）。また、制御部２０１は、所定経過時間の計測（第２のタイマ）を行う。入力部２０２は、各種スイッチや表示部２０３の表示画面に設置されたタッチパネル等であり、入力を受け付ける。表示部２０３は、液晶ディスプレイ等であり、情報を表示する。記憶部２０４は、ＲＡＭやＲＯＭ等から構成され、種々の情報を記憶する。
【００２３】
アンテナ２０５は、近距離無線通信部２０６が通信するためのアンテナである。近距離無線通信部２０６は、ブルートゥース等の規格による近距離無線通信により他の機器と通信する。
【００２４】
次に、本実施形態における携帯型時刻同期システム１の動作について説明する。図２は、本実施形態における携帯型時刻同期システム１が実行する同期処理の処理手順を示したフローチャートである。なお、本実施形態では、使用者は、電子時計１００と携帯電子機器２００との間で時刻同期を行う場合には、携帯電子機器２００と、電子時計１００とを手動で一度ペアリングさせる。
【００２５】
図２（Ａ）は、本実施形態における携帯電子機器２００が実行する同期処理の処理手順を示したフローチャートである。
【００２６】
（ステップＳ１０１）制御部２０１は、近距離無線通信部２０６およびアンテナ２０５を介して、電子時計１００とペアリング（通信接続）を行う。その後、ステップＳ１０２の処理に進む。
（ステップＳ１０２）制御部２０１は、第２タイマの計測時間を０とする。その後、ステップＳ１０３の処理に進む。なお、第２タイマは、電子時計１００との通信接続処理を開始してからの経過時間を計測するタイマである。
（ステップＳ１０３）制御部２０１は、近距離無線通信部２０６を制御し、電子時計１００との通信を切断させる。その後、ステップＳ１０４の処理に進む。
【００２７】
（ステップＳ１０４）制御部２０１は、第２タイマの計測時間が２４時間以上となったか否かを判定する。すなわち、前回通信接続処理を開始してから２４時間経過したか否かを判定する。制御部２０１は、第２タイマの計測時間が２４時間未満であると判定した場合には、ステップＳ１０４の処理を再度実行する。一方、制御部２０１は、第２タイマの計測時間が２４時間以上であると判定した場合には、ステップＳ１０５の処理に進む。
【００２８】
（ステップＳ１０５）制御部２０１は、第２タイマの計測時間を０とする。その後、ステップＳ１０６の処理に進む。
（ステップＳ１０６）制御部２０１は、近距離無線通信部２０６によりアドバタイズ（Ａｄｖｅｒｔｉｚｅ）のスキャン（Ｓｃａｎ）を開始する。その後、ステップＳ１０７の処理に進む。
【００２９】
（ステップＳ１０７）制御部２０１は、近距離無線通信部２０６がアドバタイズを受信したか否かを判定する。当該アドバタイズは、後述するステップＳ２０７において電子時計１００が送信するものであり、電子時計１００の識別情報の送信を含む。アドバタイズを受信したと制御部２０１が判定した場合にはステップＳ１０８の処理に進む。また、アドバタイズを受信していないと制御部２０１が判定した場合にはステップＳ１１１の処理に進む。
【００３０】
（ステップＳ１０８）制御部２０１は、アドバタイズの送信元の電子時計１００に近距離無線通信部２０６からコネクションリクエスト（Ｃｏｎｎｅｃｔｉｏｎ  Ｒｅｑｕｅｓｔ）を送信する。その後、ステップＳ１０９の処理に進む。
【００３１】
（ステップＳ１０９）制御部２０１は、時刻データを近距離無線通信部２０６から電子時計１００に送信する。その後、ステップＳ１１０の処理に進む。なお、ステップＳ１０９で電子機器に送信する時刻データは、携帯電子機器２００の現在時刻（第２時刻カウンタ）に時刻同期させるための時刻データである。
【００３２】
（ステップＳ１１０）制御部２０１は、接続終了コマンドを近距離無線通信部２０６から電子時計１００に送信する。その後、ステップＳ１０４の処理に戻る。
【００３３】
（ステップＳ１１１）制御部２０１は、アドバタイズの受信時間（第２所定経過時間）がタイムアウト（Ｔｉｍｅ  Ｏｕｔ）したか否かを判定する。なお、タイムアウトまでのアドバタイズの受信時間は、上述の２４時間より短く設定され、例えば３０秒に設定される。タイムアウトしたと制御部２０１が判定した場合にはステップＳ１１２の処理に進む。また、タイムアウトしていないと制御部２０１が判定した場合にはステップＳ１０７の処理に戻る。
【００３４】
（ステップＳ１１２）制御部２０１は、アドバタイズのスキャンを終了する。その後、ステップＳ１０４の処理に戻る。
【００３５】
図８（Ｂ）は、本実施形態における電子時計１００が実行する同期処理の処理手順を示したフローチャートである。
【００３６】
（ステップＳ２０１）制御部１０１は、近距離無線通信部１１４およびアンテナ１１３を介して、携帯電子機器２００とペアリング（通信接続）を行う。その後、ステップＳ２０２の処理に進む。
（ステップＳ２０２）制御部１０１は、第１タイマの計測時間を０とする。その後、ステップＳ２０３の処理に進む。なお、第１タイマは、携帯電子機器２００との通信接続処理を開始してからの経過時間を計測するタイマである。
（ステップＳ２０３）制御部１０１は、近距離無線通信部１１４を制御し、携帯電子機器２００との通信を切断させる。このとき、制御部１０１は、スイッチ１１２をオフにして、近距離無線通信部１１４への電力供給も遮断する。その後、ステップＳ２０４の処理に進む。
【００３７】
（ステップＳ２０４）制御部１０１は、第１タイマの計測時間が２４時間以上となったか否かを判定する。すなわち、前回通信接続処理を開始してから２４時間経過したか否かを判定する。制御部１０１は、第１タイマの計測時間が２４時間未満であると判定した場合には、ステップＳ２０４の処理を再度実行する。一方、制御部１０１は、第１タイマの計測時間が２４時間以上であると判定した場合には、ステップＳ２０５の処理に進む。
【００３８】
（ステップＳ２０５）制御部１０１は、第１タイマの計測時間を０とする。その後、ステップＳ１０６の処理に進む。
（ステップＳ２０６）制御部１０１は、スイッチ１１２をオンにして、近距離無線通信部１１４の電源をオンにする。その後、ステップＳ２０７の処理に進む。
【００３９】
（ステップＳ２０７）制御部１０１は、近距離無線通信部１１４からアドバタイズを送信する。その後、ステップＳ２０８の処理に進む。
【００４０】
（ステップＳ２０８）制御部１０１は、近距離無線通信部１１４が携帯電子機器２００からコネクションリクエストを受信したか否かを判定する。当該コネクションリクエストは、上述したステップＳ１０８において携帯電子機器２００が送信したものである。コネクションリクエストを受信したと制御部１０１が判定した場合にはステップＳ２０９の処理に進む。また、コネクションリクエストを受信していないと制御部１０１が判定した場合にはステップＳ２１２の処理に進む。
【００４１】
（ステップＳ２０９）制御部１０１は、近距離無線通信部１１４において携帯電子機器２００から時刻データを受信する。当該時刻データは、上述したステップＳ１０９において携帯電子機器２００が送信したものである。また、制御部１０１は、受信した時刻データを用いて、電子時計１００の現在時刻（第１時刻カウンタ）を、携帯電子機器２００の現在時刻（第２時刻カウンタ）に同期させる。その後、ステップＳ２１０の処理に進む。
【００４２】
（ステップＳ２１０）制御部１０１は、近距離無線通信部１１４において携帯電子機器２００から接続終了コマンドを受信する。当該接続終了コマンドは、上述したステップＳ１１０において携帯電子機器２００が送信したものである。その後、ステップＳ２１１の処理に進む。
（ステップＳ２１１）制御部１０１は、スイッチ１１２をオフにして、近距離無線通信回路の電源をオフにする。その後、ステップＳ２０４の処理に戻る。
【００４３】
（ステップＳ２１２）制御部１０１は、コネクションリクエストの受信時間がタイムアウトしたか否かを判定する。なお、タイムアウトまでのアドバタイズの受信時間は３０秒に設定される。タイムアウトしたと制御部１０１が判定した場合にはステップＳ２１１の処理に進む。また、タイムアウトしていないと制御部１０１が判定した場合にはステップＳ２０８の処理に戻る。
【００４４】
上述したとおり、本実施形態では、電子時計１００は、二次電池１１１と、二次電池１１１を充電する太陽電池１０９と、近距離にある他の携帯電子機器２００と無線通信する近距離無線通信部１１４と、スイッチ１１２とを備える。
【００４５】
これにより、電子時計１００は、近距離無線通信部１１４が通信しないときには近距離無線通信部１１４に電力が供給しない。このため、通信に関する電力の消費を低減することができる。また、二次電池１１１の電池残量が略０からの発電による復帰が安定する。また、太陽電池１０９を搭載しているため、二次電池１１１を充電することができる。すなわち、追加の充電器が不要である。これにより、電子時計１００は、省電力化を図ることができる。よって、電子時計１００の動作を安定して確保できるようになる。
【００４６】
また、本実施形態では、電子時計１００は第１のタイマにおいて所定経過時間が経過した場合（上述した例では、２４時間経過した場合）に、時刻データの受信処理を開始する。また、携帯電子機器２００は第２のタイマにおいて所定経過時間が経過した場合（上述した例では、２４時間経過した場合）に、時刻データの送信処理を開始する。これにより、電子時計１００と携帯電子機器２００とは、通信を開始するタイミングを報知するデータの送受信を行うことなく、所定経過時間が経過する毎に、時刻データの送受信を行うことができる。よって、携帯型時刻同期システム１は、時刻同期による処理負荷を低減させることができる。また、この処理負荷の低減は、太陽電池１０９を電源とすることで低い消費電力が要求される本実施形態の携帯型時刻同期システム１においても、当該システムを長期間持続させるのに有利に作用する。
【００４７】
また、一般的に、１日における電子時計１００の使用周期は、毎日同様のタイミングである。例えば、電子時計１００は就寝中には使用されない。よって、本実施形態では、２４時間毎に時刻同期を行うことで、毎日同様のタイミングで時刻同期を行うことができる。この時刻同期の周期の開始時期を通信確立処理の時に応じて設定することで、時刻同期する時刻が固定されている場合、例えば、毎日０時０分０秒に時刻同期するように電子時計と携帯電子機器において予め設定されている場合、に比べて、ユーザーの活動リズム、行動ペースに応じた時刻同期を可能とすることができる。
【００４８】
なお、上述した実施形態における電子時計１００または携帯電子機器２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５０】
以上、本発明の実施形態について説明したが、本発明は、上記実施形態に限定されるものではなく、本発明の趣旨を逸脱しない範囲において種々の変更を加えることが可能である。
【００５１】
例えば、上述した実施形態では、２４時間毎に時刻同期を行う例を用いて説明したが、これに限らない。例えば、１２時間毎や４８時間毎など、どのような周期で時刻同期を行っていてもよい。また、上述した実施形態では、タイムアウトまでのアドバタイズの受信時間を３０秒に設定したが、これに限らない。例えば、１０秒、１分など、適宜設定できる。また、ステップＳ１１１とステップＳ２１２の当該受信時間を異なる時間とすることもできる。
【符号の説明】
【００５２】
１・・・携帯型時刻同期システム、１００・・・電子時計、１０１・・・制御部、１０２・・・発振回路、１０３・・・分周回路、１０４・・・入力部、１０５・・・表示部、１０６・・・記憶部、１０７・・・気圧計測部、１０８・・・高度計測部、１０９・・・太陽電池、１１０・・・充放電制御回路、１１１・・・二次電池、１１２・・・スイッチ、１１３・・・アンテナ、１１４・・・近距離無線通信部（第１通信部）、２００・・携帯電子機器、２０１・・・制御部、２０２・・・入力部、２０３・・・表示部、２０４・・・記憶部、２０５・・・アンテナ、２０６・・・近距離無線通信部（第２通信部）
【図１】
0006668084.tif 000002
【図２】
0006668084.tif 000003